(57)【要約】【課題】移動通信網に接続可能な第一端末部と第一端末部と近距離無線通信を用いて通信を行う第二端末部とに分離可能な携帯端末の第二端末部を残置した場合であっても、第二端末部の位置を利用者に報知することを目的とする。【解決手段】第二端末部は、所定のルールに基づいて、第二端末部が置き忘れられて紛失状態にあるかどうかを判断し、自機が紛失状態にあると判断した場合には、近距離無線通信を用いて、他端末が通信範囲内にいるか検出する。第二端末部は、検出された他端末に対して自らが紛失状態であることを示す紛失情報を送信することで、他端末の位置を示す情報である位置情報を作成するように依頼する。また、第二端末部は、紛失情報を送信することで、位置情報と、紛失情報とを、移動通信網を介して管理サーバに送信するように依頼する。一方、第一端末部は、移動通信網を介して、管理サーバから受信された位置情報を出力する。【選択図】図１
2011029920.tif 000002
【特許請求の範囲】
【請求項１】
移動通信網に接続可能な第一端末部と、前記第一端末部と近距離無線通信を用いて通信を行う第二端末部とに分離可能な携帯端末であって、
前記第二端末部は、
所定のルールに基づいて、前記第二端末部が、前記第一端末から紛失状態にあると判断する判断部と、
前記判断部によって前記第二端末部が紛失状態にあると判断された場合には、前記近距離無線通信を用いて、同じ近距離無線通信が可能な他端末が通信範囲内にいるか検出する検出部と、
前記検出部によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信部と、
を備え、
前記第一端末部は、
前記移動通信網を介して、前記管理サーバから前記位置情報を受信した場合には、当該受信された位置情報を出力する出力部を備えることを特徴とする携帯端末装置。
【請求項２】
前記紛失情報を作成した第二端末部は、
前記他端末からアラームを鳴らす旨の指示、振動機能を駆動させる指示、または発光機能を駆動させる駆動指示を受信した場合には、当該指示を実行する駆動部をさらに備えることを特徴とする請求項１に記載の携帯端末装置。
【請求項３】
移動通信網に接続可能な第一端末部と、前記第一端末部と近距離無線通信を用いて通信を行う第二端末部とに分離可能な携帯端末と、
前記第二端末部と前記第一端末部との対応を管理する管理サーバと、
前記移動通信網に接続可能かつ前記近距離無線通信を用いて通信可能な他端末と、
を備えるシステムであって、
前記第二端末部は、
所定のルールに基づいて、前記第二端末部が、前記第一端末から紛失状態にあると判断する判断部と、
前記判断部によって前記第二端末部が紛失状態にあると判断された場合には、前記近距離無線通信を用いて、同じ近距離無線通信が可能な他端末が通信範囲内にいるか検出する検出部と、
前記検出部によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信部と、
を備え、
前記第一端末部は、前記移動通信網を介して、前記管理サーバから前記位置情報を受信した場合には、当該受信された位置情報を出力する出力部を備え、
前記他端末は、前記第二端末部から前記紛失情報と前記位置情報とを前記管理サーバへ送信するように依頼された場合には、当該第二端末部から受信した前記紛失情報と前記位置情報とを前記管理サーバへ送信する送信部を備え、
前記管理サーバは、前記他端末から前記位置情報と前記紛失情報とを受信した場合には、当該紛失情報を送信した前記第二端末部と対応する前記第一端末部に対して、前記受信された前記位置情報を転送する転送部を備えることを特徴とするシステム。
【請求項４】
移動通信網に接続可能な第一端末部と、前記第一端末部と近距離無線通信を用いて通信を行う第二端末部とに分離可能な携帯端末で実行されるプログラムであって
所定のルールに基づいて、前記第二端末部が、前記第一端末から紛失状態にあると判断する判断手順と、
前記判断手順によって前記第二端末部が紛失状態にあると判断された場合には、前記近距離無線通信を用いて、同じ近距離無線通信が可能な他端末が通信範囲内にいるか検出する検出手順と、
前記検出手順によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信手順と、
を前記第二端末部に実行させることを特徴とするプログラム。
【発明の詳細な説明】
【技術分野】
【０００１】
本発明は、携帯端末装置、システムおよびプログラムに関する。
【背景技術】
【０００２】
近年、移動通信網に接続可能な親機と各種操作の入力を受け付ける子機とに分離することができる携帯端末が知られている（例えば、特許文献１参照）。分離された親機と子機は、ＢＴ（Ｂｌｕｅ  Ｔｏｏｔｈ）や無線ＬＡＮ（Ｗｉｒｅｌｅｓｓ  Ｌｏｃａｌ  Ａｒｅａ  Ｎｅｔｗｏｒｋ）などの近距離無線通信を介して、互いに通信を行う。
【０００３】
例えば、子機は、移動通信網に接続する操作を受け付けた場合には、近距離無線通信を介して、親機へ操作内容を送信する。そして、親機は、操作内容を受信すると、３Ｇ（３ｒｄ  Ｇｅｎｅｒａｔｉｏｎ）やＧＳＭ（Ｇｌｏｂａｌ  Ｓｙｓｔｅｍ  Ｆｏｒ  Ｍｏｂｉｌｅ  Ｃｏｍｍｕｎｉｃａｔｉｏｎｓ）等の移動通信網と接続して通信を行う。
【０００４】
このような分離可能な携帯端末について、親機または子機の一方が置き忘れられてしまう場合がある。そこで、置き忘れを防止させる技術として、所定の時間を越えて親機と子機が分離した場合には、親機が有するアラームを起動させる技術が知られている（例えば、特許文献２参照）。
【０００５】
また、置き忘れを防止させる技術として、子機から親機までの距離が一定以上離れた場合には、子機のアラーム機能や振動機能を駆動させる技術が知られている（例えば、特許文献３参照）。具体的には、子機は、近距離無線通信で使用される電波の強度に基づいて、親機との距離を識別する。そして、子機は、親機までの距離が一定以上離れた場合には、アラーム機能や振動機能を駆動させる。
【０００６】
また、分離することができない携帯端末であるが、置き忘れられた携帯端末の位置を利用者に通知する技術が知られている（例えば、特許文献４参照）。具体的には、携帯端末は、最後に操作されてから一定時間が経過した場合には、予め登録された他端末の電話番号に対して発信を行う。そして、携帯端末は、他端末の着信音を検出した場合には、他端末の近傍に自端末があると認識する。その後、携帯端末は、自端末があると認識した場所を予め登録された特定の連絡先へ通知する。
【先行技術文献】
【特許文献】
【０００７】
【特許文献１】特開２００２−１５２６９６号公報
【特許文献２】特開２００７−５９１５号公報
【特許文献３】特開２００３−８７３６８号公報
【特許文献４】特開２００７−２４３６１４号公報
【発明の概要】
【発明が解決しようとする課題】
【０００８】
しかし、上記した親機のアラームを起動させる技術では、所定の時間を越えて親機と子機とが分離していることを報知するのみで、残置した子機の位置を利用者に報知することができないという問題があった。
【０００９】
また、上記した子機のアラームを駆動させる技術では、親機と子機との距離が一定以上離れたことを報知するのみで、残置した子機の位置を利用者に報知することができないという問題があった。
【００１０】
また、上記した携帯端末の位置を利用者に通知する技術では、移動通信網と接続できない子機を残置した場合には、他端末の電話番号に対して発信を行うことができないので、残置した子機の位置を利用者に報知することができないという問題があった。
【００１１】
開示の技術は、上記に鑑みてなされたものであって、移動通信網に接続できない子機を残置した場合であっても、子機の位置を利用者に報知することを目的とする。
【課題を解決するための手段】
【００１２】
本願の開示する携帯端末装置は、移動通信網に接続可能な第一端末部と、第一端末部と近距離無線通信を用いて通信を行う第二端末部とに分離可能な携帯端末である。また、第二端末部は、所定のルールに基づいて自機が置き忘れられて紛失状態にあるかどうかを判断する。また、第二端末部は、自機が紛失状態にあると判断した場合には、近距離無線通信を用いて、同じ近距離無線通信が可能な他端末が通信範囲内にいるかどうかを検出する。第二端末部は、他端末が検出された場合には、検出された他端末に対して自らが紛失状態であることを示す紛失情報を送信することで、他端末の位置を示す情報である位置情報を作成するように依頼する。また、第二端末部は、紛失情報を送信することで他端末によって作成された位置情報と、送信された紛失情報とを、移動通信網を介して管理サーバに送信するように他端末に対して依頼する。また、第一端末部は、移動通信網を介して、管理サーバから位置情報を受信した場合には、受信された位置情報を出力する。
【発明の効果】
【００１３】
本願の開示する携帯端末装置、システムおよびプログラムの一つの態様によれば、移動通信網に接続できない子機を置き忘れた場合であっても、子機の位置を利用者に報知することができる。
【図面の簡単な説明】
【００１４】
【図１】図１は、実施例１に係る携帯端末装置を説明するためのブロック図の一例である。
【図２】図２は、実施例２に係るシステムを説明するためのブロック図の一例である。
【図３Ａ】図３Ａは、実施例２に係る子機から送信される紛失通知受信可否問合せメッセージの一例を表す図である。
【図３Ｂ】図３Ｂは、実施例２に係る他人の親機から返信される紛失通知受信可否応答メッセージの一例を表す図である。
【図３Ｃ】図３Ｃは、実施例２に係る子機から紛失通知の送信を依頼する紛失通知送信依頼メッセージの一例を表す図である。
【図３Ｄ】図３Ｄは、実施例２に係る他人の親機から送信される紛失子機発見通知メッセージの一例を表す図である。
【図３Ｅ】図３Ｅは、実施例２に係る親機に通知されるメッセージの一例を表す図である。
【図４】図４は、実施例２に係る処理の流れの一例を説明するためのシーケンス図である。
【図５】図５は、実施例３に係るシステムの一例を説明するためのブロック図である。
【図６Ａ】図６Ａは、実施例３に係るシステムが用いる位置測定の重み付け情報の一例を説明するための図である。
【図６Ｂ】図６Ｂは、実施例３に係るシステムが用いる位置測地の一例を説明するための図である。
【図７】図７は、実施例３に係るシステムの処理の一例を説明するためのシーケンス図である。
【図８】図８は、実施例４に係るシステムを説明するためのブロック図の一例である。
【図９】図９は、実施例４に係る子機制御メッセージを説明するための図の一例である。
【図１０】図１０は、実施例４に係るシステムが実行する処理の一例を説明するためのシーケンス図である。
【図１１】図１１は、実施例５に係るシステムを説明するためのブロック図の一例である。
【図１２】図１２は、実施例５に係る携帯端末に表示される指示の例を表す図である。
【図１３】図１３は、実施例５に係るシステムが用いる位置測定の一例を説明するための図である。
【図１４】図１４は、実施例５に係るシステムが表示する検索結果の表示例を表す図である。
【図１５】図１５は、実施例５に係るシステムが実行する処理の一例を説明するためのシーケンス図である。
【図１６】図１６は、紛失情報を送信するプログラムを実行する携帯端末の一例を説明するための図である。
【発明を実施するための形態】
【００１５】
以下に、本願の開示する携帯端末装置、システムおよびプログラムの実施例を図面に基づいて詳細に説明する。
【実施例１】
【００１６】
以下の実施例では、携帯端末装置の構成および処理の流れを順に説明する。
【００１７】
まず最初に、図１を用いて、携帯端末装置の構成について説明する。図１は、実施例１に係るシステムを説明するためのブロック図の一例である。携帯端末装置１０は、第一端末部３０と第二端末部２０とに分離することができる。図１に示すように、第二端末部２０は、判断部２１、検出部２２および紛失情報送信部２４を有する。また、第一端末部３０は、出力部３５を有する。また、他の携帯端末装置は、他端末の第一端末部５０と他端末の第二端末部８０とを有する。他端末の第一端末部５０は、送信部５３と位置情報作成部５２を有する。
【００１８】
他端末の第二端末部８０は、第二端末部２０と近距離無線通信を行う。ここで言う他端末は、携帯端末装置１０と同じ機種または、同じ機能を持つ携帯端末装置に限定される必要はない。紛失した第二端末部２０と同じ近距離通信が可能で、情報を転送するソフトウェア、が組み込まれている別の携帯端末であれば、第一端末部と第二端末部が分離する端末でなくても可能である。本実施形態では、他端末は分離型の形態装置としている。
【００１９】
第二端末部２０および他端末の第一端末部５０は、近距離無線通信を用いて、互いに通信を行う。図１では、他端末の第一端末部５０が送信部５３と位置情報作成部５２を有することになっているが、他端末の第二端末部８０が送信部５３と位置情報作成部５２を有するようにしてもよい。
【００２０】
判断部２１は、所定のルールに基づいて、第二端末部２０が置き忘れられた状態である紛失状態であるかを判断する。検出部２２は、近距離無線通信を用いて、他端末を検出する。例えば、検出部２２は、一定時間毎に近距離無線の接続要求を発振する。そして検出部２２は、他端末の第一端末部５０が接続要求を受信し、接続要求に対する応答を送信した場合には、検出部２２は、その応答を検出する。紛失情報送信部２４は、検出部２２によって他端末の第一端末部５０を検出した場合は、第二端末部２０が置き忘れられた状態である紛失状態であることを示す紛失情報を送信する。
【００２１】
また、紛失情報送信部２４は、紛失情報を送信することで、他端末に対し、他端末の位置を示す情報である位置情報を作成するように依頼するとともに、作成された位置情報と、送信された紛失情報とを、移動通信網を介して管理サーバに送信するように依頼する。なお、本実施形態では、他端末を検出してから、紛失情報を送信しているが、近距離無線通信を用いると一瞬しか通信できない場合があるため、応答要求と紛失情報を一緒に送ってもよい。
【００２２】
第一端末部３０は、出力部３５を有している。出力部３５は、移動通信網を介して、管理サーバから位置情報を受信した場合には、受信された位置情報を出力する。
【００２３】
他端末の第一端末部に係る位置情報作成部５２は、携帯端末装置１０の第二端末部２０から紛失情報と位置情報とを送信するように依頼された場合には、他端末の第一端末部５０の位置を示す位置情報を作成する。送信部５３は、紛失情報送信部２４によって送信された紛失情報と、位置情報作成部５２によって作成された位置情報とを移動通信網を介して、管理サーバへ送信する。
【００２４】
上述してきたように、実施例１に係る第二端末部２０は、自らが紛失状態であると判定した場合は、近距離無線通信を用いて、周囲の第一端末部を検出する。第二端末部２０は、他端末の第一端末部５０を検出した場合は、近距離無線通信を用いて、検出された他端末の第一端末部５０へ紛失情報を送信する。また、第二端末部２０は、他端末へ紛失情報を送信することにより、位置情報を作成するように依頼するとともに、作成された位置情報と送信された紛失情報とを移動通信網を介して管理サーバへ送信するように依頼する。
【００２５】
他端末の第一端末部５０は、作成された位置情報と送信された紛失情報とを移動通信網を介して管理サーバへ送信するように依頼された場合は、他端末の第一端末部５０の位置を示す位置情報を作成する。そして、他端末の第一端末部５０は、紛失情報と位置情報とを移動通信網を介して管理サーバへ送信する。紛失情報には、携帯端末装置１０のメールアドレスか電話番号を含んでいるものとする。携帯端末装置１０に係る第一端末部３０は受信した紛失情報と位置情報から、第一端末部の出力部３５に表示するものとする。
【００２６】
そのため、実施例１に係る携帯端末装置は、紛失状態の第二端末部２０の位置を第二端末部２０に対応する第一端末部１０へ報知する。結果として、携帯端末装置は、紛失状態の第二端末部２０の捜索を容易にすることができる。
【実施例２】
【００２７】
以下の実施例では、本願に開示するシステムの構成および処理の流れを順に説明する。
【００２８】
[システムの構成]
まず最初に、図２を用いて、システムの構成について説明する。図２は、実施例２に係るシステムを説明するためのブロック図の一例である。図２に示すように、図２に係るシステムは、携帯端末Ａ１０ａと加入者情報管理装置４０ａとを有する。また、システムには、携帯端末Ａ１０ａとは異なる第三者の携帯端末Ｂ５０ａが含まれる。
【００２９】
携帯端末Ａ１０ａ（携帯端末装置１０）は、携帯端末Ａ子機２０ａ（第二端末部２０）と携帯端末Ａ親機３０ａ（第一端末部３０）とに分離可能な携帯端末である。携帯端末Ａ１０ａは、例えば、携帯電話、ＰＨＳ（Personal Handy-phone System）、ＰＤＡ（Personal Digital Assistant）などの情報通信端末である。また、第三者の携帯端末Ｂ５０ａは、携帯電話、ＰＨＳ、ＰＤＡおよびＰＣ（Personal Computer）などの情報通信端末である。
【００３０】
携帯端末Ａ子機２０ａは、例えば、ＢＴ（Blue Tooth）や無線ＬＡＮ（Wireless LocalArea Network）等の近距離無線通信を用いて、携帯端末Ａ親機３０ａと通信を行う。携帯端末Ａ子機２０ａは、例えば、携帯端末Ａ１０ａのうち、携帯端末のテンキーを有する部分、もしくは、携帯端末Ａ１０ａの操作を入力するための装置を備えた部分である。また、携帯端末Ａ親機２０ａは、例えば、携帯端末Ａ１０ａのうち、移動通信網に接続するためのアンテナおよび表示装置を有する部分である。
【００３１】
[携帯端末Ａ子機２０ａの構成]
携帯端末Ａ子機２０ａは、子機紛失判定部２１ａ（判断部２１）、近傍端末検出部２２ａ（検出部２２）、子機無線部Ａ２３ａ、紛失通知送信部２４ａ（紛失情報送信部２４）およびユーザインタフェース部２５ａとを有する。
【００３２】
子機紛失判定部２１ａ、近傍端末検出部２２ａおよび紛失通知送信部２４ａは、例えば、ＡＳＩＣ（Application Specific Integrated Circuit）やＦＰＧＡ（Field Programmable Gate Array）などの集積回路、もしくは、ＣＰＵ(Central Processing Unit)やＭＰＵ(Micro  Processing  Unit)などの電子回路である。
【００３３】
ユーザインタフェース部２５ａは、携帯端末Ａ１０ａの操作を行うためのインタフェースである。ユーザインタフェース部２５ａは、例えば、携帯端末Ａ１０ａを操作するためのテンキー等の入力装置である。
【００３４】
また、子機無線部Ａ２３ａは、近距離無線技術を介して、近傍に存在する通信可能な端末と通信を行う。子機無線部Ａ２３ａは、例えば、アンテナを有する近距離無線装置である。ここで、子機無線部Ａ２３ａは、近距離無線技術としてＢＴや無線ＬＡＮ等の技術を用いる。実施例２では、無線ＬＡＮを用いて、近傍に存在する通信可能な端末と通信を行う。また、子機無線部Ａ２３ａは、アドホックモードで通信を行う。
【００３５】
子機紛失判定部２１ａは、携帯端末Ａ子機２０ａが紛失状態であるかを判定する。例えば、子機紛失判定部２１ａは、携帯端末Ａ子機２０ａと携帯端末Ａ親機３０ａとが互いに電気信号を交信する接触端子を有する場合には、電気信号の交信が途絶えたことを契機として携帯端末Ａ１０ａが分離されたと判定する。そして、子機紛失判定部２１ａは、携帯端末Ａ１０ａが分離され、かつ、ユーザインタフェース部２５ａがユーザの操作を受け付けてから一定の時間が経過した場合は、携帯端末Ａ子機２０ａが紛失状態であると判定する。なお、子機紛失判定部２１ａは、携帯端末Ａ１０ａが分離したことを判定する場合には、上記した方法に限らず、携帯端末Ａ１０ａが携帯端末Ａ子機２０ａ一定時間物理的に接続されておらず、近距離通信されてもおらず、携帯端末Ａ子機２０ａからの近距離通信の接続要求に対する応答がない、または、応答が他の端末からのものであること等、種々の方法を用いてもよい。
【００３６】
近傍端末検出部２２ａは、子機紛失判定部２１ａによって携帯端末Ａ子機２０ａが紛失状態であると判定された場合には、近距離無線通信を用いて、同じ近距離無線通信が可能な他端末が、近距離無線通信可能な範囲に存在するかどうかを検出する。具体的には、近傍端末検出部２２ａは、ＢＴや無線ＬＡＮ等の近距離無線技術を用いて応答要求を発振し、発振された応答要求に対する応答を受信することにより、他端末の親機もしくは携帯端末を検出する。具体的には、近傍端末検出部２２ａは、子機紛失判定部２１ａによって携帯端末Ａ子機２０ａが紛失状態であると判定された場合は、子機無線部Ａ２３ａを介して、近傍に存在する通信可能な端末を検出する。
【００３７】
例えば、近傍端末検出部２２ａは、子機無線部Ａ２３ａに所定の時間間隔で電波を発信させる。そして、近傍端末検出部２２ａは、例えば、発信された電波に対する応答電波を子機無線部Ａ２３ａが受信した場合には、近傍に通信可能な端末があると検出する。
【００３８】
具体的には、近傍端末検出部２２ａは、子機無線部Ａ２３ａに、他の端末と無線ＬＡＮによる接続を確立させるための信号を、他の端末から応答を受信するまで繰り返しマルチキャスト送信させる。近傍端末検出部２２ａは、子機無線部Ａ２３ａより送信された信号に対する応答を他の端末から受信した場合には、近傍に通信可能な端末があると検出する。
【００３９】
近傍端末検出部２２ａは、子機無線部Ａ２３ａが通信可能な他の端末を検出した場合は、子機無線部Ａ２３ａを介して、検出された他の端末が紛失通知受信部５４ａを有しているかを判定する。具体的には、近傍端末検出部２２ａは、図３Ａに示す紛失通知受信可否問合せメッセージを検出された端末へ送信する。そして、近傍端末検出部２２ａは、図３Ｂに示す紛失通知受信可否問合せメッセージを送信した端末から紛失通知受信可否応答メッセージが返信された場合には、他の端末が紛失通知受信部５４ａを有していると判定する。
【００４０】
ここで、図３Ａは、実施例２に係る子機から送信される紛失通知受信可否問合せメッセージの一例を表す図である。図３Ａに示すように、紛失通知受信可否問合せメッセージは、ヘッダ部分に、紛失通知受信可否問合せメッセージを示す情報「Ｔｙｐｅ：０ｘ０１」が格納されている。また、紛失通知受信可否問合せメッセージは、データ格納部分に、データが格納されずに送信される。
【００４１】
紛失通知受信可否問合せメッセージを取得した他の端末は、紛失通知受信部５４ａを有している場合は、図３Ｂに示す紛失通知受信可否応答メッセージを携帯端末Ａ子機２０ａへ送信する。ここで、図３Ｂは、実施例２に係る他人の親機から返信される紛失通知受信可否応答メッセージの一例を表す図である。図３Ｂに示すように、紛失通知受信可否応答メッセージは、ヘッダ部分に、紛失通知受信可否応答メッセージを示す情報「Ｔｙｐｅ：０ｘ０２」が格納されている。また、紛失通知受信可否応答メッセージは、データ格納部分に、紛失通知の受信可能を示す４Ｂｙｔｅのデータ「０ｘ０１」が格納されている。
【００４２】
近傍端末検出部２２ａは、紛失通知受信可否応答メッセージを受信した場合には、紛失通知受信可否応答メッセージを送信した通信端末が、紛失通知受信部５４ａを有し、かつ、移動通信網に接続可能な通信端末であると判定する。
【００４３】
紛失通知送信部２４ａは、近傍端末検出部２２ａによって他の通信端末が検出された場合は、携帯端末Ａ子機２０ａが紛失状態であることを示す情報を、近距離無線通信を介して送信する。また、紛失通知送信部２４ａは、他の通信端末に対して、紛失状態であるこを示す情報を送信することで、他の通信端末の位置を示す情報を作成するように依頼する。また、紛失通知送信部２４ａは、他の通信端末に対して、紛失状態であることを示す情報を送信することで、他の通信端末の位置を示す情報と携帯端末Ａ子機２０ａが紛失状態であることを示す情報とを移動通信網を介して管理サーバに送信するように依頼する。具体的には、紛失通知送信部２４ａは、子機無線部Ａ２３ａが通知受信可否応答メッセージを受信した場合は、図３Ｃに示す紛失通知送信依頼メッセージを作成し、紛失通知受信可否応答メッセージを送信した端末へ送信する。
【００４４】
ここで、図３Ｃは、実施例２に係る子機から紛失通知の送信を依頼する紛失通知送信依頼メッセージの一例を表す図である。図３Ｃに示すように、紛失通知送信依頼メッセージは、ヘッダ部分に、紛失通知送信依頼メッセージを示す情報「Ｔｙｐｅ：０ｘ０３」が格納されている。また、紛失通知送信依頼メッセージは、データ長部分に、以下のデータが無いことを示す「Ｌｅｎｇｔｈ：０」が格納される。
【００４５】
[携帯端末Ａ親機の構成]
携帯端末Ａ親機３０ａは、親機無線部Ａ３１ａ、移動通信網通信部Ａ３３ａ、子機紛失登録部３４ａおよびユーザインタフェース部３５ａ（出力部３５）を有する。子機紛失登録部３４ａは、例えば、ＡＳＩＣやＦＰＧＡなどの集積回路、または、ＣＰＵやＭＰＵなどの電子回路である。
【００４６】
移動通信網通信部Ａ３３ａは、３Ｇ（３rd Generation）やＧＳＭ（Global  System  For  Mobile  Communications）、などの移動通信網を介して、通信を行う。また、移動通信網通信部Ａ３３ａは、ＬＴＥ（Long  Term  Evolution）、ＷｉＭＡＸ（Worldwide  Interoperability  for  Microwave  Access）などの移動通信網を介して、通信を行う。移動通信網通信部Ａ３３ａは、例えば、アンテナを有し、移動通信網に接続する通信装置である。親機無線部Ａ３１ａは、ＢＴや無線ＬＡＮを介して、子機無線部Ａ２３ａと通信を行う。親機無線部Ａ３１ａは、例えば、アンテナを有する近距離無線装置である。
【００４７】
ユーザインタフェース部３５ａは、加入者情報管理装置４０ａから位置情報をを受信した場合には、受信された位置情報を出力する。具体的には、ユーザインタフェース部３５ａは、加入者情報管理装置４０ａから発見メッセージを受信した場合は、発見メッセージを表示し、利用者に携帯端末Ａ子機２０ａの位置を通知する。また、ユーザインタフェース部３５ａは、利用者からの操作を取得し、携帯端末Ａ１０ａに反映させる。例えば、ユーザインタフェース部３５ａは、利用者から携帯端末Ａ子機２０ａの紛失状態の登録要求を受けた場合は、子機紛失登録部３４ａへ、紛失登録を実行するように要求する。ユーザインタフェース部３５ａは、例えば、携帯端末Ａ１０ａを操作するためのテンキー等の入力装置である。
【００４８】
子機紛失登録部３４ａは、ユーザインタフェース部３５ａから紛失登録の実行を要求された場合は、移動通信網通信部Ａ３３ａを介して、加入者情報管理装置４０ａに携帯端末Ａ子機２０ａの紛失状態を登録するように通知する。具体的には、子機紛失登録部３４ａは、携帯端末Ａ子機２０ａのＭＡＣアドレスを予め記憶しており、加入者情報管理装置４０ａに対して、携帯端末Ａ子機２０ａのＭＡＣアドレスと、携帯端末Ａ子機２０ａの紛失登録の要求とを送信する。
【００４９】
[第三者の携帯端末Ｂの構成]
第三者の携帯端末Ｂ５０ａ（他端末の第一端末部５０）は、親機無線部Ｂ５１ａ、測位部５２ａ（位置情報作成部５２）、移動通信網通信部Ｂ５３ａ（送信部５３）、紛失通知受信部５４ａおよび子機情報送信部５５ａを有する。紛失通知受信部５４ａおよび子機情報送信部５５ａは、例えば、ＡＳＩＣやＦＰＧＡなどの集積回路、または、ＣＰＵやＭＰＵなどの電子回路である。
【００５０】
親機無線部Ｂ５１ａは、近距離無線技術を用いて、子機無線部Ａ２３ａと通信を行う。ここで、親機無線部Ｂ５１ａは、近距離無線技術としてＢＴや無線ＬＡＮ等の技術を用いる。また、親機無線部Ｂ５１ａは、例えば、アドホックモードで通信を行う。親機無線部Ｂ５１ａは、例えば、アンテナを有する近距離無線装置である。
【００５１】
移動通信網通信部Ｂ５３ａは、３Ｇ、ＧＳＭ、ＬＴＥ、ＷｉＭＡＸなどの移動通信網を介して、通信を行う。移動通信網通信部Ｂ５３ａは、例えば、アンテナを有し、移動通信網に接続する通信装置である。
【００５２】
測位部５２ａは、携帯端末Ａ子機２０ａから送信された紛失通知送信依頼メッセージを第三者の携帯端末Ｂ５０ａが受信した場合は、第三者の携帯端末Ｂ５０ａの位置を示す位置情報を作成する。具体的には、測位部５２ａは、子機情報送信部５５ａから第三者の携帯端末Ｂ５０ａの位置を測位するように要求された場合は、ＧＰＳや、移動通信網の基地局との電波強度を用いて、第三者の携帯端末Ｂ５０ａの位置を測位する。また、測位部５２ａは、測位された第三者の携帯端末Ｂ５０ａの位置を位置情報として子機情報送信部５５ａへ通知する。測位部５２ａは、例えば、ＧＰＳ（Ｇｌｏｂａｌ  Ｐｏｓｉｔｉｏｎｉｎｇ  Ｓｙｓｔｅｍ）等を用いて、位置を測位する装置である。
【００５３】
紛失通知受信部５４ａは、親機無線部Ｂ５１ａを介して、近傍端末検出部２２ａから紛失通知受信可否問合せメッセージを受信した場合は、紛失通知受信可否応答メッセージを作成する。そして、紛失通知受信部５４ａは、親機無線部Ｂ５１ａを介して、作成された紛失通知受信可否応答メッセージを子機無線部Ａ２３ａへ送信する。また、紛失通知受信部５４ａは、紛失通知送信依頼メッセージを受信した場合は、紛失通知送信依頼メッセージを送信した携帯端末Ａ子機２０ａのＭＡＣアドレスを取得する。
【００５４】
また、紛失通知受信部５４ａは、携帯端末Ａ子機２０ａから紛失通知送信依頼メッセージを受信した場合は、携帯端末Ａ子機２０ａが発する近距離無線通信の電波強度を用いて、携帯端末Ａ子機２０ａと、第三者の携帯端末Ｂ５０ａとの間の距離を測定する。そして、紛失通知受信部５４ａは、計測された携帯端末Ａ子機２０ａと第三者の携帯端末Ｂ５０ａとの間の距離を示す距離情報を作成する。
【００５５】
具体的には、紛失通知受信部５４ａは、電波強度と距離とを対応付けてあらかじめ記憶する。そして、紛失通知受信部５４ａは、ＲＳＳＩ（Ｒｅｃｅｉｖｅｄ  Ｓｉｇｎａｌ  Ｓｔｒｅｎｇｔｈ  Ｉｎｄｉｃａｔｏｒ、電波強度値）を用いて、携帯端末Ａ子機２０ａと、携帯端末Ｂ５０ａとの間の距離を計算する。ここで、ＲＳＳＩとは、携帯端末Ａ子機２０ａが発する近距離無線通信の電波強度の値をいう。また、紛失通知受信部５４ａは、計算された携帯端末間の距離を示す距離情報と、取得された携帯端末Ａ子機２０ａのＭＡＣアドレスを子機情報送信部５５ａへ通知する。
【００５６】
子機情報送信部５５ａは、第三者の携帯端末Ｂ５０ａが、携帯端末Ａ子機２０ａから送信された紛失情報を受信した場合には、受信された紛失情報と第三者の携帯端末Ｂ５０ａの位置を示す情報とを管理サーバへ送信する。具体的には、紛失通知受信部５４ａによって計算された距離情報と紛失通知受信部５４ａによって取得された携帯端末Ａ子機２０ａのＭＡＣアドレスとを通知された場合には、測位部５２ａに、携帯端末Ｂ５０ａの位置を測位する要求を通知する。そして、子機情報送信部５５ａは、測位部５２ａによって測位された位置情報を取得する。
【００５７】
子機情報送信部５５ａは、紛失通知受信部５４ａから通知された距離情報と携帯端末Ａ子機２０ａのＭＡＣアドレスとを紛失子機発見通知に格納する。また、子機情報送信部５５ａは、測位部５２ａから通知された位置情報を紛失子機発見通知に格納する。子機情報送信部５５ａは、紛失通知受信部５４ａから通知された距離情報と、測位部５２ａから通知された位置情報を用いて、図３Ｄに示す紛失子機発見通知メッセージを作成する。図３Ｄは、実施例２に係る他人の親機から送信される紛失子機発見通知メッセージの一例を表す図である。
【００５８】
図３Ｄに示す場合は、子機情報送信部５５ａは、紛失子機発見通知メッセージのヘッダ部分に、紛失子機発見通知メッセージを示す「Ｔｙｐｅ：０ｘ０４」を格納する。また、子機情報送信部５５ａは、紛失子機発見通知メッセージのヘッダ部分に続くデータ長部に、以下のデータ長が３８Ｂｙｔｅであることを示す情報「Ｌｅｎｇｔｈ：５０」を格納する。
【００５９】
次に、子機情報送信部５５ａは、以下のデータが子機ＭＡＣアドレスであることを示す「Ｔｙｐｅ：０ｘ１１」を格納する。次に、子機情報送信部５５ａは、データ長部として、以下６ＢｙｔｅのデータがＭＡＣアドレスであることを示す「Ｌｅｎｇｔｈ：６」を格納する。次に、子機情報送信部５５ａは、紛失通知受信部５４ａより通知された携帯端末Ａ子機２０ａのＭＡＣアドレスを紛失子機発見通知メッセージに格納する。
【００６０】
次に、子機情報送信部５５ａは、以下のデータが携帯端末Ａ子機２０ａと第三者の携帯端末Ｂ５０ａとの間の距離を示す情報が続くことを示す「Ｔｙｐｅ：０ｘ１２」を格納する。次に、子機情報送信部５５ａは、データ長部として、以下４Ｂｙｔｅのデータが距離情報であることを示す「Ｌｅｎｇｔｈ：４」を格納する。次に、子機情報送信部５５ａは、紛失通知受信部５４ａから通知された距離情報を紛失子機発見通知メッセージに格納する。
【００６１】
次に、子機情報送信部５５ａは、以下のデータが第三者の携帯端末Ｂ５０ａの位置情報が続くことを示す「Ｔｙｐｅ：０ｘ１３」を格納する。次に、子機情報送信部５５ａは、データ長部として、以下４Ｂｙｔｅのデータが位置情報であることを示す「Ｌｅｎｇｔｈ：４」を格納する。次に、子機情報送信部５５ａは、測位部５２ａによって通知された位置情報を紛失子機発見通知メッセージに格納する。
【００６２】
また、子機情報送信部５５ａは、紛失子機発見通知メッセージを作成した場合は、移動通信網通信部Ｂ５３ａを介して、加入者情報管理装置４０ａへ送信する。
【００６３】
[加入者情報管理装置４０ａの構成]
加入者情報管理装置４０ａは、移動通信網通信部４１ａ、紛失子機管理部４２ａおよび子機位置通知部４３ａを有する。紛失子機管理部４２ａおよび子機位置通知部４３ａは、例えば、ＡＳＩＣやＦＰＧＡなどの集積回路、または、ＣＰＵやＭＰＵなどの電子回路である。
【００６４】
加入者情報管理装置４０ａは、例えば、移動通信網ネットワークのコアネットワーク（基幹回線網）上に位置するサーバである。例えば、加入者情報管理装置４０ａは、基地局や、基地局によって受信された情報を処理するＭＰＥ（Multimedia Processing Equipment）よりも上位のネットワークに接続され、回線交換機であるＬＳ（Local Switch）と接続される。
【００６５】
移動通信網通信部４１ａは、３Ｇ、ＧＳＭ、ＬＴＥ、ＷｉＭＡＸなどの移動通信網通信手法を用いて、移動通信網通信部Ａ３３ａ、移動通信網通信部Ｂ５３ａおよびその他の移動通信網通信部と通信を行う。移動通信網通信部４１ａは、例えば、アンテナを有し、移動通信網に接続する通信装置である。
【００６６】
紛失子機管理部４２ａは、携帯端末Ａ子機２０ａのＭＡＣアドレスと、携帯端末Ａ子機２０ａの紛失登録を要求する通知とを携帯端末Ａ親機３０ａから取得した場合には、携帯端末Ａ子機２０ａの紛失登録を実行する。具体的には、紛失子機管理部４２ａは、携帯端末Ａ親機３０ａから送信された携帯端末Ａ子機２０ａのＭＡＣアドレスと、携帯端末Ａ子機２０ａが紛失状態であることを示す情報とを対応付けて記憶する。
【００６７】
また、紛失子機管理部４２ａは、第三者の携帯端末Ｂ５０ａから紛失子機発見通知メッセージを取得した場合は、紛失子機発見通知メッセージが示す残置された子機と対応する親機に対して、紛失子機発見通知メッセージに格納された位置情報を転送する。具体的には、紛失子機管理部４２ａは、紛失子機発見通知メッセージに格納されたＭＡＣアドレスと同一のＭＡＣアドレスが、紛失状態であることを示す情報と対応付けて記憶されているかを判定する。
【００６８】
そして、紛失子機管理部４２ａは、紛失子機発見通知メッセージに格納されたＭＡＣアドレスが、紛失状態を示す情報と対応付けて記憶されていた場合には、紛失子機発見通知メッセージに格納された距離情報と位置情報とを子機位置通知部４３ａへ通知する。また、紛失子機管理部４２ａは、紛失子機発見通知メッセージに格納されたＭＡＣアドレスを有する子機と対応する親機に対して、発見メッセージを送信するように子機位置通知部４３ａに通知する。
【００６９】
子機位置通知部４３ａは、紛失子機管理部４２ａから発見メッセージを送信するように通知された場合は、通知された距離情報と位置情報とを用いて、図３Ｅに示す発見メッセージを含む電子メールを作成する。ここで、図３Ｅは、実施例２に係る親機に通知されるメッセージの一例を表す図である。
【００７０】
具体的には、子機位置通知部４３ａは、通知された位置情報に示された場所近辺の地図を作成する。そして、子機位置通知部４３ａは、通知された位置情報と距離情報とから残置された子機が存在する範囲を示す円を重ね合わせる。
【００７１】
例えば、子機位置通知部４３ａは、図３Ｅに示すような発見メッセージを作成する。図３Ｅの中央左側に現された円は、距離情報と位置情報とから得られた携帯端末Ａ子機２０ａが存在する範囲を示している。また、図３Ｅの中央左側に現された円の中心は、位置情報から得られた地点、すなわち、携帯端末Ａ子機２０ａから送信された紛失通知送信依頼メッセージを第三者の携帯端末Ｂ５０ａが受信した地点を示す。また、図３Ｅの中央左側に現された円の範囲は、距離情報から得られた範囲、すなわち、携帯端末Ａ子機２０ａと第三者の携帯端末Ｂ５０ａとの距離から得られた携帯端末Ａ子機２０ａが存在する範囲を示す。
【００７２】
子機位置通知部４３ａは、発見メッセージを作成した場合は、移動通信網通信部４１ａを介して、携帯端末Ａ親機３０ａへ発見メッセージを電子メールとして送信する。
【００７３】
[システムの処理]
次に、図４を用いて、実施例２に係るシステムの処理の流れを説明する。図４は、実施例２に係る処理の流れの一例を説明するためのシーケンス図である。図４に示した場合は、システムは、ＭＡＣアドレスを用いて、子機を一意に識別する。
【００７４】
まず初めに、携帯端末Ａ親機３０ａが紛失登録を実行する処理の流れについて説明する。携帯端末Ａ親機３０ａの子機紛失登録部３４ａは、ユーザインタフェース部２５ａを介して、残置された子機の紛失登録を要求された場合は（ステップＳ１０１）、携帯端末Ａ子機２０ａのＭＡＣアドレスを取得する（ステップＳ１０２）。次に、携帯端末Ａ親機３０ａの子機紛失登録部３４ａは、移動通信網通信部Ａ３３ａを介して（ステップＳ１０３）、残置された携帯端末Ａ子機２０ａのＭＡＣアドレスを加入者情報管理装置４０ａの紛失子機管理部４２ａに通知する（ステップＳ１０４）。加入者情報管理装置４０ａの紛失子機管理部４２ａは、通知されたＭＡＣアドレスと紛失したことを示す情報とを対応付けて記憶する（ステップＳ１０５）。
【００７５】
次に、システムが実行する紛失状態の携帯端末Ａ子機２０ａが残置された位置を示す処理について説明する。まず、携帯端末Ａ子機２０ａの子機紛失判定部２１ａは、携帯端末Ａ子機２０ａが紛失状態であるかを判定する（ステップＳ１０６）。次に、携帯端末Ａ子機２０ａの近傍端末検出部２２ａは、子機紛失判定部２１ａによって携帯端末Ａ子機２０ａが紛失状態であると判定された場合は、子機無線部Ａ２３ａを介して、近傍に存在する通信可能な他の端末を検出する（ステップＳ１０７）。
【００７６】
携帯端末Ａ子機２０ａの近傍端末検出部２２ａは、子機無線部Ａ２３ａを介して、接続可能な他の端末を検出するまで、検出を繰り返す（ステップＳ１０８）。次に、携帯端末Ａ子機２０ａの近傍端末検出部２２ａは、子機無線部Ａ２３ａを介して、接続可能な他の機器を検出した場合は、紛失通知受信可否問合せメッセージを検出された端末へ送信する（ステップＳ１０９）。そして、第三者の携帯端末Ｂ５０ａの紛失通知受信部５４ａは、紛失通知受信可否応答メッセージを作成する（ステップＳ１１０）。
【００７７】
次に、第三者の携帯端末Ｂ５０ａの紛失通知受信部５４ａは、親機無線部Ｂ５１ａと子機無線部Ａ２３ａとを介して、作成された紛失通知受信可否応答メッセージを携帯端末Ａ子機２０ａの近傍端末検出部２２ａへ送信する（ステップＳ１１１）。
【００７８】
携帯端末Ａ子機２０ａの近傍端末検出部２２ａは、紛失通知受信可否応答メッセージを取得した場合は、紛失通知受信可否応答メッセージを取得した旨を紛失通知送信部２４ａへ通知する。（ステップＳ１１２）。次に、携帯端末Ａ子機２０ａの紛失通知送信部２４ａは、紛失通知送信依頼メッセージを、第三者の携帯端末Ｂ５０ａの紛失通知受信部５４ａへ送信する（ステップＳ１１３）。
【００７９】
携帯端末Ｂ５０ａの紛失通知受信部５４ａは、紛失通知送信依頼メッセージを受信した場合は、携帯端末Ａ子機２０ａが発するＲＳＳＩの電波強度を用いて、携帯端末Ａ子機２０ａと、携帯端末Ｂ５０ａとの間の距離情報を作成する（ステップＳ１１４）。次に、携帯端末Ｂ５０ａの紛失通知受信部５４ａは、携帯端末Ａ子機２０ａのＭＡＣアドレスと距離情報とを子機情報送信部５５ａへ通知する（ステップＳ１１５）。
【００８０】
次に、携帯端末Ｂ５０ａの子機情報送信部５５ａは、測位部５２ａに携帯端末Ｂ５０ａの位置を測位させるため、測位部５２ａに測位を要求する（ステップＳ１１６及びＳ１１７）。携帯端末Ｂ５０ａの測位部５２ａは、ＧＰＳもしくは基地局との電波強度を用いて、携帯端末Ｂ５０ａの位置を測位する（ステップＳ１１８）。携帯端末Ｂ５０ａの測位部５２ａは、携帯端末Ｂ５０ａの位置を測位した場合は、携帯端末の５０ａの位置を測位情報として子機情報送信部５５ａへ応答する（ステップＳ１１９）。
【００８１】
次に、携帯端末Ｂ５０ａの子機情報送信部５５ａは、移動通信網通信部Ｂ５３ａを介して、取得された距離情報、測位情報およびＭＡＣアドレスを紛失子機発見通知メッセージとして加入者情報管理装置４０ａへ送信する（ステップＳ１２０）。加入者情報管理装置４０ａの紛失子機管理部４２ａは、紛失子機発見通知メッセージを受信した場合は、紛失子機発見通知メッセージに格納されたＭＡＣアドレスが紛失状態であることを示す情報と対応付けて記憶されているかを判定する（ステップＳ１２１）。
【００８２】
加入者情報管理装置４０ａの紛失子機管理部４２ａは、紛失子機発見通知メッセージに格納されたＭＡＣアドレスが紛失状態であることを示す情報と対応付けて記憶されている場合は、距離情報と位置情報とを子機位置通知部４３ａへ通知する（ステップＳ１２２）。
【００８３】
加入者情報管理装置４０ａの子機位置通知部４３ａは、通知された距離情報と位置情報とを用いて、発見メッセージを作成する（ステップＳ１２３）。次に、加入者情報管理装置４０ａの子機位置通知部４３ａは、移動通信網通信部４１ａおよび移動通信網通信部Ａ３３ａを介して、作成された発見メッセージを携帯端末Ａ親機３０ａへ送信する（ステップＳ１２４）。そして、システムは、処理を終了する。
【００８４】
[実施例２の効果]
上述したように、実施例２に係る携帯端末の子機は、残置されて紛失状態となった場合は、近傍にある他の携帯端末と近距離無線を介して通信を行う。また、他の携帯端末は、移動通信網を介して、携帯端末Ａ子機２０ａの紛失子機発見通知メッセージを加入者情報管理装置４０ａへ送信する。そのため、実施例２に係るシステムは、分離することができる携帯端末の子機を置き忘れた場合にも、残置された子機の位置を識別し、残置された子機と対応する親機に対して通知することができる。
【００８５】
また、実施例２に係る加入者情報管理装置４０ａは、あらかじめ登録された紛失登録と同一のＭＡＣアドレスが格納された紛失子機発見通知メッセージを取得した場合にのみ、発見メッセージを作成し、紛失状態の子機と対応する親機へ送信する。そのため、実施例２に係るシステムは、子機を紛失していないにも係らず、子機が置き忘れられて紛失状態であると判定した場合は、不要な発見メッセージを作成し、対応する親機へ送信することを防ぐことができる。
【００８６】
また、実施例２に係る紛失通知受信部５４ａは、携帯端末Ａ子機２０ａが発する電波の強度を用いて、携帯端末Ｂ５０ａと携帯端末Ａ子機２０ａとの間の距離を識別する。そのため、実施例２に係るシステムは、位置情報だけでなく距離情報を考慮した発見メッセージを作成することができる。結果として、実施例２に係るシステムは、利用者に対して、紛失状態の子機が残置された位置をより正確に示すことができる。
【実施例３】
【００８７】
次に、実施例３として、複数の携帯端末から送信された紛失子機発見通知メッセージを用いて、紛失状態の携帯端末子機の位置を示すシステムについて説明する。なお、実施例２に係るシステムと同一の処理については、説明を省略する。
【００８８】
[システムの構成]
まず最初に、図５を用いて、実施例３に係るシステムの構成について説明する。図５は、実施例３に係るシステムの一例を説明するための図である。図５に示す様に、システムは、携帯端末Ａ１０ｂ、加入者情報管理装置４０ｂ、第三者の携帯端末Ｂ５０ｂ、携帯端末Ｃ６０ｂ、携帯端末Ｄ７０ｂとを有する。携帯端末Ａ１０ｂは、実施例２に係る携帯端末Ａ１０ａと同様に、携帯端末Ａ子機２０ｂと携帯端末Ａ親機３０ｂとに分離可能な携帯端末である。また、携帯端末Ａ１０ｂおよび第三者の携帯端末Ｂ５０ａは、例えば、携帯電話、ＰＨＳ、ＰＤＡおよびＰＣなどの情報通信端末である。加入者情報管理装置４０ｂは、例えば、移動通信網ネットワークのコアネットワーク（基幹回線網）上に位置するサーバである。
【００８９】
携帯端末Ａ子機２０ｂは、実施例２に係る携帯端末Ａ子機２０ａと同様の構成を有する。また、携帯端末Ａ親機３０ｂは、実施例２に係る携帯端末Ａ親機３０ｂと同様の構成を有する。また、第三者の携帯端末Ｂ５０ｂは、実施例２に係る第三者の携帯端末Ｂ５０ａと同様の構成を有する。また、携帯端末Ｃ６０ｂおよび携帯端末Ｄ７０ｂは、第三者の携帯端末Ｂ５０ｂと同様の携帯端末である。各携帯端末が有する各部２１ｂ〜５５ｂの機能は、実施例２に係る携帯端末が有する各部２１ａ〜５５ａの機能と同様の機能を発揮する。
【００９０】
[加入者情報装置の構成]
実施例３に係る加入者情報管理装置４０ｂは、移動通信網通信部４１ｂ、紛失子機管理部４２ｂ、子機位置通知部４３ｂを有する。各部４１ｂ〜４３ｂの発揮する機能は、実施例２に係る各部４１ａ〜４３ａの機能と同一である。また、加入者情報管理装置４０ｂは、子機位置推定部４４ｂを有する。子機位置推定部４４ｂは、例えば、ＡＳＩＣやＦＰＧＡなどの集積回路、または、ＣＰＵやＭＰＵなどの電子回路である。
【００９１】
子機位置推定部４４ｂは、複数の親機から送信された紛失子機発見通知メッセージを収集し、収集された紛失子機発見通知メッセージを用いて、紛失された子機の位置を特定する。具体的には、子機位置推定部４４ｂは、第三者の携帯端末Ｂ５０ｂ、携帯端末Ｃ６０ｂ、携帯端末Ｄ７０ｂからそれぞれ紛失子機発見通知メッセージを取得する。
【００９２】
なお、第三者の携帯端末Ｂ５０ｂ、携帯端末Ｃ６０ｂおよび携帯端末Ｄ７０ｂは、それぞれ紛失状態の子機から紛失通知依頼を受けた場合には、実施例２に係る第三者の携帯端末Ｂ５０ａと同様の処理を実行し、紛失子機発見通知メッセージを作成する。次に、各携帯端末は、加入者情報管理装置４０ｂに対して、作成された紛失子機発見通知メッセージを送信する。
【００９３】
子機位置推定部４４ｂは、各携帯端末から送信された紛失子機発見通知メッセージに基づいて、紛失状態の子機が残置された位置を推定する。また、子機位置推定部４４ｂは、紛失状態の子機が残置された位置を推定した場合は、推定した子機の位置を子機位置通知部４３ｂに通知する。
【００９４】
次に、子機位置推定部４４ｂが子機の位置を推定する手法の例について図６Ａおよび図６Ｂを用いて説明する。図６Ａは、実施例３に係るシステムが用いる位置推定の重み付け情報の一例を説明するための図である。また、図６Ｂは、実施例３に係るシステムが用いる位置測地の一例を説明するための図である。
【００９５】
まず、子機位置推定部４４ｂは、紛失子機発見通知メッセージに格納された位置情報と距離情報を収集し、収集された位置情報と距離情報とを用いて、紛失状態の子機が存在する位置を推定する。例えば、子機位置推定部４４ｂは、紛失子機発見通知メッセージに格納された距離情報が「Ｄ」であった場合は、位置情報に格納された位置を原点とした半径Ｄの円周範囲上に子機が存在する確率が高いと推定する。また、図６Ａに示すように、子機位置推定部４４ｂは、半径Ｄの円周上からある程度の広がりを持った範囲に紛失状態の子機があると推定する。
【００９６】
子機位置推定部４４ｂは、紛失子機発見通知メッセージに格納された位置情報および距離情報を用いて、子機が存在する確率が高い円周範囲を地図上に重ね合わせる。また、子機位置推定部４４ｂは、別の通信端末から取得された紛失子機発見通知メッセージに格納された位置情報および距離情報を用いて、子機が存在する確率が高い円周範囲をさらに地図上に重ね合わせる。
【００９７】
ここで図６Ｂに示す円環は、紛失状態の子機が存在する確率を示している。また、図６Ｂに示す円環は、点描部分に子機が存在する確率が高いことを示している。子機位置推定部４４ｂは、重ね合わせを行った範囲から、紛失状態の子機が存在する確率が最も高い範囲に、紛失状態の子機が存在すると推定する。
【００９８】
子機位置推定部４４ｂは、紛失状態の子機が残置された位置を推定した場合は、子機位置通知部４３ｂへ、推定された位置を紛失状態の子機に対応する親機へ通知するように依頼する。子機位置通知部４３ｂは、推定された位置を通知するように依頼された場合は、子機位置推定部４４ｂによって推定された位置を示す発見メッセージを作成し、作成された発見メッセージを携帯端末Ａ親機３０ｂへ送信する。
【００９９】
例えば、子機位置推定部４４ｂは、図３Ｅに示された実施例２に係る子機位置通知部４３ａによって作成された発見メッセージよりも、紛失状態の携帯端末Ａ子機２０ａの位置をより詳細に示すことができる。そのため、子機位置通知部４３ｂは、実施例２に係る子機位置通知部４３ａよって作成された発見メッセージよりも、紛失状態の携帯端末Ａ子機２０ａの位置より詳細に示した発見メッセージを作成し、携帯端末Ａ親機３０ｂへ送信することができる。
【０１００】
[システムの処理]
次に、図７を用いて、実施例３に係るシステムの処理の流れを説明する。図７は、実施例３に係るシステムの処理の一例を説明するためのシーケンス図である。また、実施例３に係るシステムは、図４に示したステップＳ１０１からステップＳ１２０まで同一の処理を実行する。そのため、図７は、図４に示したステップＳ１０１からステップＳ１２０までに対応する処理について省略する。
【０１０１】
第三者の携帯端末Ｂ５０ｂの子機情報送信部５５ｂは、紛失子機発見通知メッセージを作成した場合は、移動通信網通信部Ｂ５３ｂを介して、加入者情報管理装置４０ｂへ送信する（ステップＳ２０１）。次に、加入者情報管理装置４０ｂの紛失子機管理部４２ｂは、紛失子機発見通知メッセージを取得した場合は、紛失子機発見通知メッセージに格納されたＭＡＣアドレスを有する子機について紛失登録されているかどうかを判定する（ステップＳ２０２）。
【０１０２】
加入者情報管理装置４０ｂの紛失子機管理部４２ｂは、紛失子機発見通知メッセージに格納されたＭＡＣアドレスを有する子機について紛失登録されている場合は、位置情報と距離情報とを子機位置推定部４４ｂへ転送する（ステップＳ２０３）。加入者情報管理装置４０ｂの子機位置推定部４４ｂは、位置情報と距離情報とを取得した場合は、子機の存在する確率が高い円周範囲を取得し、地図上に重ね合わせる（ステップＳ２０４）。
【０１０３】
次に、加入者情報管理装置４０ｂの紛失子機管理部４２ｂは、携帯端末Ｃ６０ｂから通知された紛失子機発見通知メッセージを取得する（ステップＳ２０５）。加入者情報管理装置４０ｂの紛失子機管理部４２ｂは、紛失子機発見通知メッセージを取得した場合は、紛失子機発見通知メッセージに格納されたＭＡＣアドレスが紛失状態であることを示す情報と対応付けて記憶されているか判定する（ステップＳ２０６）。
【０１０４】
加入者情報管理装置４０ｂの紛失子機管理部４２ｂは、紛失子機発見通知メッセージに格納されたＭＡＣアドレスが紛失状態であることを示す情報と対応付けて記憶されている場合は、位置情報と距離情報とを子機位置推定部４４ｂへ転送する（ステップＳ２０７）。次に、加入者情報管理装置４０ｂの子機位置推定部４４ｂは、位置情報と距離情報とを取得した場合は、子機の存在する確率が高い円周範囲を取得し、地図上に重ね合わせる（ステップＳ２０８）。
【０１０５】
次に、加入者情報管理装置４０ｂの紛失子機管理部４２ｂは、携帯端末Ｄ７０ｂから通知された紛失子機発見通知メッセージを取得する（ステップＳ２０９）。加入者情報管理装置４０ｂの紛失子機管理部４２ｂは、携帯端末Ｄ７０ｂから紛失子機発見通知メッセージを取得した場合は、紛失子機発見通知メッセージに格納されたＭＡＣアドレスを有する子機が紛失登録されているか判定する（ステップＳ２１０）。
【０１０６】
加入者情報管理装置４０ｂの紛失子機管理部４２ｂは、紛失子機発見通知メッセージに格納されたＭＡＣアドレスを有する子機について紛失登録されている場合は、位置情報と距離情報とを子機位置推定部４４ｂへ転送する（ステップＳ２１１）。次に、加入者情報管理装置４０ｂの子機位置推定部４４ｂは、位置情報と距離情報とを取得した場合は、子機の存在する確率が高い円周範囲を取得し、地図上に重ね合わせる（ステップＳ２１２）。
【０１０７】
加入者情報管理装置４０ｂの子機位置推定部４４ｂは、３つの紛失子機発見通知メッセージを用いて、紛失状態の子機が残置された位置を推定した場合は、推定された位置を通知するように子機位置通知部４３ｂへ依頼する（ステップＳ２１３）。具体的には、加入者情報管理装置４０ｂの子機位置推定部４４ｂは、３つの紛失子機発見通知メッセージを地図上に重ね合わせ、最も確率が高い範囲に残置された子機があると推定する。加入者情報管理装置４０ｂの子機位置通知部４３ｂは、推定された位置を通知するように依頼された場合は、子機位置推定部４４ｂによって推定された位置を用いて、発見メッセージを作成する（ステップＳ２１４）。
【０１０８】
次に、加入者情報管理装置４０ｂの子機位置通知部４３ｂは、発見メッセージを作成した場合は、作成された発見メッセージを携帯端末Ａ親機３０ｂへ送信する（ステップＳ２１５）。その後、システムは、処理を終了する。
【０１０９】
[実施例３の効果]
上述したように、実施例３に係る加入者情報管理装置は、複数の紛失情報を用いて、紛失状態の子機が存在する位置を推定し、推定された位置を紛失状態の子機に対応する親機へ通知する。そのため、実施例３に係るシステムは、利用者に対して、紛失状態の子機が残置された位置を実施例２に係るシステムよりも正確に、かつ、詳細に示した発見メッセージを通知することができる。
【実施例４】
【０１１０】
次に、実施例４として、紛失子機発見通知メッセージを送信した第三者の携帯端末に対して子機の捜索を依頼するシステムについて説明する。なお、実施例２に係るシステムおよび実施例３に係るシステムと同一の処理については、説明を省略する。
【０１１１】
まず最初に、図８を用いて、実施例４に係るシステムの構成について説明する。図８は、実施例４に係るシステムを説明するためのブロック図の一例である。図８に示すように、実施例４に係るシステムは、携帯端末Ａ１０ｃ、第三者の携帯端末Ｂ５０ｃ、加入者情報管理装置４０ｃを有する。携帯端末Ａ１０ｃ（携帯端末装置１０）は、実施例２および実施例３に係る携帯端末Ａと同様に、携帯端末Ａ子機２０ｃと携帯端末Ａ親機３０ｃとに分離可能な携帯端末である。また、携帯端末Ａ１０ｃおよび第三者の携帯端末Ｂ５０ｃは、例えば、携帯電話、ＰＨＳ、ＰＤＡおよびＰＣなどの情報通信端末である。加入者情報管理装置４０ｃは、例えば、移動通信網ネットワークのコアネットワーク（基幹回線網）上に位置するサーバである。
【０１１２】
[携帯端末Ａ子機の構成]
実施例４に係る携帯端末Ａ子機２０ｃは、実施例３に係る携帯端末Ａ子機２０ｂと同様に子機紛失判定部２１ｃ、近傍端末検出部２２ｃ、子機無線部Ａ２３ｃ、紛失通知送信部２４ｃおよびユーザインタフェース部２５ｃを有する。実施例４に係る各部２１ｃ〜２４ｃは、実施例３に係る各部２１ｂ〜２４ｂと同様の機能を発揮する。また、実施例４に係る携帯端末Ａ子機２０ｃは、捜索指示受信部２６ｃを有する。捜索指示受信部２６ｃは、例えば、ＡＳＩＣやＦＰＧＡなどの集積回路、または、ＣＰＵやＭＰＵなどの電子回路である。
【０１１３】
捜索指示受信部２６ｃは、第三者の携帯端末Ｂ５０ｃから駆動指示を受信した場合は、ユーザインタフェース部２５ｃを制御して、駆動制御の指示を実行する。具体的には、捜索指示受信部２６ｃは、子機無線部Ａ２３ｃを介して、他人の携帯端末から送信される子機制御メッセージを受信する。また、捜索指示受信部２６ｃは、受信された子機制御メッセージに応じて、ユーザインタフェース部２５ｃを制御する。ここで、ユーザインタフェース部２５ｃは、例えば、携帯端末Ａ１０ａを操作するためのテンキー等の入力装置、着信を知らせるバイブレータ、スピーカー、モニタ等である。
【０１１４】
例えば、捜索指示受信部２６ｃは、図９に示す子機制御メッセージのうち、音出力指示が格納された子機制御メッセージを受信した場合は、アラーム音等の音声を鳴らすようにユーザインタフェース部２５ｃに通知する。ユーザインタフェース部２５ｃは、捜索指示受信部２６ｃよりアラーム音等の音声を鳴らすように通知された場合には、アラーム音等の音声を鳴らす。ここで、図９は、実施例４に係る子機制御メッセージを説明するための図の一例である。
【０１１５】
また、例えば、捜索指示受信部２６ｃは、図９に示す子機制御メッセージのうち、光出力指示が格納された子機制御メッセージを受信した場合は、光を点灯させるようにユーザインタフェース部２５ｃに通知する。ユーザインタフェース部２５ｃは、捜索指示受信部２６ｃより光を点灯させるように通知された場合には、光を点灯あるいは点滅等させる。
【０１１６】
また、例えば、捜索指示受信部２６ｃは、図９に示す子機制御メッセージのうち、振動指示が格納された子機制御メッセージを受信した場合は、バイブレータを駆動させるようにユーザインタフェース部２５ｃに通知する。ユーザインタフェース部２５ｃは、捜索指示受信部２６ｃよりバイブレータを駆動させるように通知された場合には、バイブレータを駆動させる。
【０１１７】
また、例えば、捜索指示受信部２６ｃは、複数の指示が格納された子機制御メッセージを受信した場合は、ユーザインタフェース部２５ｃを制御して、格納されていた各指示を同時に実行する。
【０１１８】
[第三者の携帯端末Ｂの構成]
第三者の携帯端末Ｂ５０ｃは、親機無線部Ｂ５１ｃ、測位部５２ｃ、移動通信網通信部Ｂ５３ｃ、紛失通知受信部５４ｃおよび子機情報送信部５５ｃを有する。各部５１ｃ〜５５ｃは、実施例３に係る各部５１ｂ〜５５ｂと同様の機能を発揮する。また、第三者の携帯端末Ｂ５０ｃは、ユーザインタフェース部５６ｃおよび捜索指示送信部５７ｃをさらに有する。捜索指示送信部５７ｃは、例えば、ＡＳＩＣやＦＰＧＡなどの集積回路、または、ＣＰＵやＭＰＵなどの電子回路である。
【０１１９】
ユーザインタフェース部５６ｃは、第三者の携帯端末Ｂ５０ｃのユーザインタフェースである。具体的には、ユーザインタフェース部５６ｃは、第三者の携帯端末Ｂ５０ｃに対する操作を受け付ける入力装置や表示装置等である。また、ユーザインタフェース部５６ｃは、利用者によって入力された操作を捜索指示送信部５７ｃへ通知する。ユーザインタフェース部５６ｃは、携帯端末Ａ１０ａを操作するためのテンキー等の入力装置である。
【０１２０】
捜索指示送信部５７ｃは、第三者の携帯端末Ｂ５０ｃが紛失情報を携帯端末Ａ子機２０ｃから受信した場合は、駆動指示を携帯端末Ａ子機２０ｃへ送信する。具体的には、第三者の携帯端末Ｂ５０ｃは、紛失情報を携帯端末Ａ子機２０ｃから受信した場合には、第三者の携帯端末Ｂ５０ｃが紛失子機管理部４２ｃへ紛失子機発見通知メッセージを送信する。すると、第三者の携帯端末Ｂ５０ｃは、紛失子機管理部４２ｃから、紛失状態の子機を捜索するように依頼される。
【０１２１】
捜索指示送信部５７ｃは、紛失子機管理部４２ｃから、紛失状態の子機を捜索するように依頼された場合には、紛失状態の子機に対して、図９に示す子機制御メッセージを送信する。例えば、捜索指示送信部５７ｃは、音出力指示が格納された子機制御メッセージが利用者によって選択された場合は、音出力指示が格納された子機制御メッセージを送信する。
【０１２２】
図９に示すように、子機制御メッセージは、ヘッダ部分に、指示を示す情報が格納されている。例えば、子機制御メッセージは、ヘッダ部分に「Ｔｙｐｅ：０ｘ０５」を格納した場合は、子機制御メッセージを受信した子機に対して音を出力するよう指示する。また、子機制御メッセージは、ヘッダ部分に「Ｔｙｐｅ：０ｘ０６」を格納した場合は、子機制御メッセージを受信した子機に対して光を出力するよう指示する。また、子機制御メッセージは、ヘッダ部分に「Ｔｙｐｅ：０ｘ０７」を格納した場合は、子機制御メッセージを受信した子機に対して振動するよう指示する。
【０１２３】
図９に示すように、各子機制御メッセージのデータ長部には、以下のデータ長が４Ｂｙｔｅであることを示す情報「Ｌｅｎｇｔｈ：４」が格納される。また、データ長部の次に、各制御の開始を指示する４Ｂｙｔｅの情報が格納される。
【０１２４】
[加入者情報管理装置の構成]
加入者情報管理装置４０ｃは、移動通信網通信部４１ｃ、紛失子機管理部４２ｃ、子機位置通知部４３ｃを有している。移動通信網通信部４１ｃおよび子機位置通知部４３ｃは、実施例２に係る移動通信網通信部４１ａおよび子機位置通知部４３ａと同様の処理を実行する。
【０１２５】
実施例４に係る紛失子機管理部４２ｃは、子機情報送信部５５ｃから紛失子機発見通知メッセージを取得した場合は、紛失子機発見通知メッセージに格納されたＭＡＣアドレスが紛失状態を示す情報と対応付けて記憶されているかを判定する。また、紛失子機管理部４２ｃは、紛失子機発見通知メッセージに格納されたＭＡＣアドレスが紛失状態を示す情報と対応付けて記憶されている場合は、紛失子機発見通知メッセージを送信した携帯端末Ｂ５０ｃの所有者が、捜索協力を事前登録しているかを判定する。
【０１２６】
実施例４に係るシステムは、紛失子機発見通知メッセージを送信した第三者の携帯端末Ｂ５０ｃの所有者が、携帯端末の捜索協力を事前登録している場合にのみ、紛失状態の子機を捜索するよう要請する。紛失子機管理部４２ｃは、紛失子機発見通知メッセージを送信した携帯端末Ｂ５０ｃの所有者が、携帯端末の捜索に協力する登録を行っている場合は、紛失子機発見通知メッセージを送信した携帯端末Ｂ５０ｃに対して、紛失状態の子機を捜索するよう要請する。
【０１２７】
[システムの処理]
次に、図１０を用いて、実施例４に係るシステムが実行する処理の流れを説明する。図１０は、実施例４に係るシステムが実行する処理の一例を説明するためのシーケンス図である。また、実施例３に係るシステムは、図４に示したステップＳ１０１からステップＳ１２０まで同一の処理を実行する。そのため、図１０では、図４に示したステップＳ１０１からステップＳ１２０までに対応する処理について省略する。
【０１２８】
まず、加入者情報管理装置４０ｃの紛失子機管理部４２ｃは、紛失子機発見通知メッセージを取得する（ステップＳ３０１）。加入者情報管理装置４０ｃの紛失子機管理部４２ｃは、紛失子機発見通知メッセージを取得した場合には、紛失子機発見通知メッセージに格納されたＭＡＣアドレスを有する子機について紛失登録されているかどうかを判定する（ステップＳ３０２）。
【０１２９】
加入者情報管理装置４０ｃの紛失子機管理部４２ｃは、紛失子機発見通知メッセージに格納されたＭＡＣアドレスを有する子機が紛失登録されている場合は、携帯端末Ｂ５０ｃの所有者が、携帯端末の捜索協力を事前登録しているか判定する（ステップＳ３０３）。加入者情報管理装置４０ｃの紛失子機管理部４２ｃは、携帯端末Ｂ５０ｃの所有者が、携帯端末の捜索協力を事前登録している場合は、携帯端末Ｂ５０ｃに対して、紛失状態の子機を捜索するよう要請する（ステップＳ３０４）。
【０１３０】
携帯端末Ｂ５０ｃの捜索指示送信部５７ｃは、子機の捜索を要請された場合は、子機制御メッセージの送信を利用者に促すため（ステップＳ３０５）、ユーザインタフェース部５６ｃに子機制御メッセージを選択させる画面を表示させる（ステップＳ３０６）。
【０１３１】
次に、携帯端末Ｂ５０ｃのユーザインタフェース部５６ｃは、子機制御メッセージを紛失状態の子機へ送信するように操作された場合は（ステップＳ３０７）、子機制御メッセージを送信するように捜索指示送信部５７ｃへ指示する（ステップＳ３０８）。携帯端末Ｂ５０ｃの捜索指示送信部５７ｃは、子機制御メッセージを送信するように指示された場合は、親機無線部Ｂ５１ｃを介して、子機制御メッセージを紛失状態の子機へ送信する（ステップＳ３０９）。
【０１３２】
次に、携帯端末子機２０ｃの捜索指示受信部２６ｃは、子機制御メッセージを受信した場合は、子機制御メッセージに格納された指示をユーザインタフェース部２５ｃへ転送する（ステップＳ３１０）。携帯端末子機２０ｃのユーザインタフェース部２５ｃは、指示を取得した場合は、指示された処理を実行する（ステップＳ３１１）。例えば、携帯端末子機２０ｃのユーザインタフェース部２５ｃは、音を鳴らす、光を点灯する、もしくは振動を起こす処理を実行する。
【０１３３】
[実施例４の効果]
上述したように、実施例４に係る携帯端末Ｂ５０ｃは、近距離無線を介して、紛失状態の携帯端末Ａ子機２０ｃに子機制御メッセージを送信する。そして、携帯端末Ａ子機２０ｃは、子機制御メッセージを受信した場合は、子機制御メッセージに格納された指示を実行する。そのため、実施例４に係るシステムは、紛失状態の子機の捜索に協力する利用者に対して、紛失状態の子機を容易に発見する手法を提供することができる。
【実施例５】
【０１３４】
次に、実施例５に係るシステムについて説明する。実施例５に係るシステムは、紛失子機発見通知メッセージを送信した第三者の携帯端末に対して、紛失状態の子機を捜索するように協力を依頼するシステムについて説明する。また、実施例５に係るシステムは、紛失状態の子機が残置された位置を捜索する第三者の携帯端末に対して、紛失状態の子機が残置された位置を示す。なお、実施例２〜実施例４に係るシステムと同一の処理については、説明を省略する。
【０１３５】
[システムの構成]
まず最初に、図１１を用いて、実施例５に係るシステムの構成について説明する。図１１は、実施例５に係るシステムを説明するためのブロック図の一例である。実施例５に係るシステムは、携帯端末Ａ１０ｄ、第三者の携帯端末Ｂ５０ｄ、加入者情報管理装置４０ｄを有する。また、携帯端末Ａ１０ｄおよび第三者の携帯端末Ｂ５０ｄは、携帯電話、ＰＨＳ、ＰＤＡおよびＰＣなどの情報通信端末である。加入者情報管理装置４０ｄは、例えば、移動通信網ネットワークのコアネットワーク（基幹回線網）上に位置するサーバである。
【０１３６】
実施例５に係る携帯端末Ａ１０ｄは、実施例２〜４に係る携帯端末Ａと同様に、携帯端末Ａ子機２０ｄと携帯端末Ａ親機３０ｄとに分離可能な携帯端末である。携帯端末Ａ１０ｄは、実施例４に係る携帯端末Ａ１０ｃと同様の構成を有し、携帯端末Ａ１０ｃと同様の処理を実行する。携帯端末Ａ１０ｄは、例えば、携帯電話、ＰＨＳ、ＰＤＡなどの情報通信端末である。また、第三者の携帯端末Ｂ５０ｄは、携帯電話、ＰＨＳ、ＰＤＡおよびＰＣなどの情報通信端末である。実施例５に係る加入者情報管理装置４０ｄは、実施例４に係る加入者情報管理装置４０ｃと同様の構成を有し、加入者情報管理装置４０ｃと同様の処理を実行する。
【０１３７】
[第三者の携帯端末Ｂの構成]
図１１に示すように、第三者の携帯端末Ｂ５０ｄは、各部５１ｄ〜５７ｄおよび子機位置特定部５８ｄを有する。ここで、実施例５に係る各部５１ｄ〜５７ｄは、実施例３に係る各部５１ｃ〜５７ｃと同様の機能を発揮する。また、第三者の携帯端末Ｂ５０ｄは、子機位置特定部５８ｄを有している。子機位置特定部５８ｄは、例えば、ＡＳＩＣやＦＰＧＡなどの集積回路、または、ＣＰＵやＭＰＵなどの電子回路である。
【０１３８】
子機位置特定部５８ｄは、複数の位置から携帯端末Ａ子機２０ｄの発する近距離無線通信の電波強度を親機無線部Ｂ５１ｄを介してそれぞれ測定し、測定された複数の電波強度を用いて、携帯端末Ａ子機２０ｄの位置を識別する。具体的には、子機位置特定部５８ｄは、親機無線部Ｂ５１ｄを用いて、紛失状態の携帯端末Ａ子機２０ｄと通信を行う。そして、子機位置特定部５８ｄは、携帯端末Ａ２０ｄが発振する電波の強度を用いて、携帯端末Ａ２０ｄが残置された位置を推定する。また、子機位置特定部５８ｄは、推定した携帯端末Ａ子機２０ｄの位置を、携帯端末Ｂ５０ｄに表示する。
【０１３９】
子機位置特定部５８ｄは、第三者の携帯端末Ｂ５０ｄが携帯端末Ａ子機２０ｄの捜索を行う場合は、ユーザインタフェース部５６ｄを用いて、図１２に示すような指示を表示させる。また、子機位置特定部５８ｄは、測位部５２ｄに、携帯端末Ａ子機２０ｄと通信を行った第三者の携帯端末Ｂ５０ｄの複数の位置を測位させる。また、子機位置特定部５８ｄは、複数の位置から携帯端末Ａ子機２０ｄと通信を行い、携帯端末Ａ子機２０ｄの位置を推定する。ここで、図１２は、実施例５に係る携帯端末に表示される指示の例を表す図である。
【０１４０】
子機位置特定部５８ｄが紛失状態の子機が残置された位置を推定する方法について、図１２および図１３を用いて詳しく説明する。図１３は、実施例５に係るシステムが用いる位置測定の一例を説明するための図である。図１３に示した矢印は、携帯端末Ｂ５０ｄを有するユーザの移動した軌跡を現す。また、図１３に示す円環は、紛失状態の子機が存在する確率を示している。また、図１３に示す円環は、点描部分に子機が存在する確率が高いことを示している。
【０１４１】
まず、子機位置特定部５８ｄは、図１２に示すように、近距離無線技術を用いて、紛失状態の子機である携帯端末Ａ子機２０ｄと通信を行う。また、子機位置特定部５８ｄは、測位部５２ｄに、第三者の携帯端末Ｂ５０ｄの位置情報を測位させる。
【０１４２】
次に、子機位置特定部５８ｄは、図１２に示すように、携帯端末Ｂ５０ｄの利用者に１０歩前進させる。子機位置特定部５８ｄは、携帯端末Ｂ５０ｄの利用者に１０歩前進させた場合は、近距離無線技術を用いて、携帯端末Ａ子機２０ｄと再度通信を行う。また、子機位置特定部５８ｄは、測位部５２ｄに、携帯端末Ｂ５０ｄの位置情報を測位させる。
【０１４３】
次に、子機位置特定部５８ｄは、図１２に示すように、携帯端末Ｂ５０ｄの利用者に右９０度の方向へ１０歩前進させる。子機位置特定部５８ｄは、携帯端末Ｂ５０ｄの利用者に右９０度の方向へ１０歩前進させた場合は、近距離無線技術を用いて、携帯端末Ａ子機２０ｄと再度通信を行う。また、子機位置特定部５８ｄは、測位部５２ｄに、携帯端末Ｂ５０ｄの位置情報を測位させる。
【０１４４】
すると、図１３に示すように、子機位置特定部５８ｄは、異なった３つの地点から紛失状態の子機である携帯端末Ａ子機２０ｄと通信を行うことになる。子機位置特定部５８ｄは、携帯端末Ａ子機２０ｄから発信された電波の強度を各地点において観測し、実施例３に係る子機位置推定部４４ｂと同様の処理を行う。
【０１４５】
具体的には、子機位置特定部５８ｄは、携帯端末Ａ子機２０ｄから発信された電波の強度（ＲＳＳＩ）と、測位部５２ｄによって測位された位置情報とを用いて携帯端末Ａ子機２０ｄが存在する確率が高い円周範囲を複数取得する。そして、子機位置特定部５８ｄは、図１３に示すように、携帯端末Ａ子機２０ｄが存在する確率が高い円周範囲を重ね合わせる。そして、子機位置特定部５８ｄは、重ね合わせを行った範囲から、携帯端末Ａ子機２０ｄが存在する確率が最も高い範囲に、携帯端末Ａ子機２０ｄが存在すると推定する。
【０１４６】
また、子機位置特定部５８ｄは、携帯端末Ａ子機２０ｄの位置を推定した場合は、図１４に示すように、携帯対端末Ｂ５０ｄの位置を基準として、推定された携帯端末Ａ子機２０ｄの位置を相対的にユーザインタフェース部５６ｄに表示させる。ここで、図１４は、実施例５に係る子機位置特定部が表示させる検索結果の表示例である。図１４に例示した場合には、携帯端末Ａ子機２０ｄの位置が、第三者の携帯端末Ｂ５０ｄから右３０度前方５メートル先にあることを示している。
【０１４７】
[システムの処理]
次に、図１５を用いて、実施例５に係るシステムが実行する処理の流れを説明する。図１５は、実施例５に係るシステムが実行する処理の一例を説明するためのシーケンス図である。また、実施例５に係るシステムは、図４に示したステップＳ１０１からステップＳ１２０まで同一の処理を実行する。そのため、図１５は、図４に示したステップＳ１０１からステップＳ１２０までに対応する処理について省略する。
【０１４８】
加入者情報管理装置４０ｂの紛失子機管理部４２ｄは、紛失子機発見通知メッセージを取得した場合は、紛失子機発見通知メッセージに格納されたＭＡＣアドレスが紛失状態であることを示す情報と対応付けて記憶されているか判定する（ステップＳ４０１）。次に、加入者情報管理装置４０ｂの紛失子機管理部４２ｄは、携帯端末Ｂ５０ｄの所有者が、携帯端末の捜索協力を事前登録しているかを判定する（ステップＳ４０２）。
【０１４９】
加入者情報管理装置４０ｂの紛失子機管理部４２ｄは、紛失子機発見通知メッセージを送信した携帯端末Ｂ５０ｄの所有者が、携帯端末の捜索協力を事前登録している場合は、紛失状態の子機を捜索するよう要請する（ステップＳ４０３）。次に、携帯端末Ｂ５０ｄの子機位置特定部５８ｄは、携帯端末Ｂ５０ｄの位置を移動させるため、ユーザインタフェース部５６ｄに指示を表示させる（ステップＳ４０４）。
【０１５０】
携帯端末Ｂ５０ｄのユーザインタフェース部５６ｄは、子機位置特定部５８ｄから利用者に対する指示を表示するよう指示された場合は（ステップＳ４０５）、利用者に対する指示を表示する（ステップＳ４０６）。
【０１５１】
次に、携帯端末Ｂ５０ｄの子機位置特定部５８ｄは、ユーザインタフェース部５６ｄに指示を表示させた場合は（ステップＳ４０７）、測位部５２ｄに携帯端末Ｂ５０ｄの位置を測位させる（ステップＳ４０８）。携帯端末Ｂ５０ｄの測位部５２ｄは、携帯端末Ｂ５０ｄの位置を測位させた場合は（ステップＳ４０９）、測位結果を子機位置特定部５８ｄへ通知する（ステップＳ４１０）。
【０１５２】
携帯端末Ｂ５０ｄの子機位置特定部５８ｄは、携帯端末Ａ子機２０ｄから発信された電波の強度を異なる３つの地点において観測し、携帯端末Ａ子機２０ｄの位置を特定する（ステップＳ４１１）。
【０１５３】
携帯端末Ｂ５０ｄの子機位置特定部５８ｄは、携帯端末Ａ子機２０ｄの位置を特定した場合は、特定した携帯端末Ａ子機２０ｄの位置をユーザインタフェース部５６ｄに表示させる（ステップＳ４１２）。そして、携帯端末Ｂ５０ｄのユーザインタフェース部５６ｄは、特定した携帯端末Ａ子機２０ｄの位置を表示する（ステップＳ４１３）。その後、システムは、処理を終了する。
【０１５４】
[実施例５の効果]
上述したように、実施例５に係る第三者の携帯端末Ｂ５０ｄは、近距離無線の強度を用いて、紛失状態の携帯端末Ａ子機２０ｄが残置された位置を特定する。そのため、実施例５に係るシステムは、携帯端末Ａ子機２０ｄの近傍に、第三者の携帯端末Ｂ５０ｄが接近した場合は、第三者の携帯端末Ｂ５０ｄを用いて携帯端末Ａ子機２０ｄの位置を特定させることができる。結果として、実施例５に係るシステムは、紛失状態の子機が残置された位置をより正確に利用者に示すことができ、子機の発見を容易にすることができる。
【実施例６】
【０１５５】
これまで、実施例１〜実施例５について説明したが、各実施例に係る携帯端末およびシステムは、上記した実施例以外にも様々な異なる形態にて実施されてよいものである。そこで、以下では実施例６として、他の実施例を説明する。
【０１５６】
（１）システムが実行する処理について
実施例２〜実施例５に係るシステムは、それぞれ独立した処理を実行し、紛失状態の携帯端末が残置された位置を利用者に示していた。しかし、実施例はこれに限定されるものではなく、紛失状態の子機の位置を示し、紛失状態の子機の発見を容易にするのであれば、異なる実施例において示された複数の処理を同時に実行してもよい。
【０１５７】
例えば、実施例３と実施例４とに示した処理を実行するシステムは、紛失子機発見通知メッセージを送信した携帯端末のユーザが紛失状態の子機を捜索する協力の登録を行っていない場合は、実施例３に示した処理を実行する。また、システムは、紛失子機発見通知メッセージを送信した携帯端末が、紛失状態の子機を捜索する協力の登録を行っている場合は、実施例４に示した処理を実行する。
【０１５８】
（２）近距離無線について
上記した各実施例１〜５に係る携帯端末の親機、子機及び他の通信端末は、近距離無線技術として無線ＬＡＮを用いて通信していた。しかし、実施例は、これに限定されるものではなく、近距離無線技術を用いて子機および他の通信端末が通信するのであればよい。そのため、親機、子機及び他の通信端末は、近距離無線技術として、例えばＢＴや、ＩＣ通信、Ｗｉ−Ｆｉ等の規格を用いてもよい。
【０１５９】
また、上記した各実施例２〜５に係る携帯端末および通信端末は、ＢＴを用いて通信を行う場合は、ＭＡＣアドレスではなくＢＴアドレスを紛失子機発見通知メッセージに格納してもよい。また、近傍端末検出部は、子機無線部がＢＴを用いる場合は、Ｓｅｒｉａｌ  Ｐｏｒｔ  Ｐｒｏｆｉｌｅ（ＳＰＰ）を適用する。ここで、ＳＰＰとは、ＢＴを用いて、仮想のシリアルケーブルを介した通信を実現するプロトコルである。
【０１６０】
また、上記した各実施例２〜５では、子機はアドホックモードで通信を行っていた。しかし、実施例はこれに限定されるものではない。例えば、紛失された子機は、公共のアクセスポイントに対して接続可能な範囲に存在する場合は、インフラストラクチャモードを用いて、同一のアクセスポイントに対して接続している他の通信端末に紛失子機発見通知メッセージの送信を依頼してもよい。
【０１６１】
（３）紛失子機発見通知メッセージについて
実施例２〜５に係るシステムでは、他の通信端末が測位した場所を紛失子機発見通知メッセージに格納していた。しかし、実施例はこれに限定されるものではなく、例えば、システムは、残置された子機が、公共のアクセスポイントに対して接続可能な範囲に存在する場合は、接続可能なアクセスポイントを示す情報を紛失子機発見通知メッセージに格納するようにしてもよい。
【０１６２】
また、実施例２〜５に係るシステムは、紛失された子機が測位部を有する場合は、測位部を用いて測位した位置情報を紛失子機発見通知メッセージに格納してもよい。
【０１６３】
（４）紛失状態の判定について
実施例２〜５に係る子機紛失判定部は、例えば、一定時間操作されていない場合は、携帯端末Ａ子機が紛失状態であると判定していた。しかし、実施例はこれに限定されるものではなく、例えば、子機紛失判定部は、子機の動きを検知する加速度センサを有し、子機が一定時間以上動いていない場合は、子機が紛失状態であると判定してもよい。
【０１６４】
また、子機紛失判定部は、子機がＧＰＳ等を用いる測位部を有する場合は、一定時間以上子機が移動していない場合は、子機が紛失状態であると判定してもよい。また、子機紛失判定部は、これら紛失状態を判定する技術を複合的に用いて判定してもよい。
【０１６５】
（５）子機位置の推定について
実施例３に係る子機位置推定部および実施例５に係る子機位置特定部は、３つの点から観測された近距離無線通信の強度を用いて、子機の位置を測定していた。しかし、実施例はこれに限定されるものではなく、別の方法を用いてもよい。
【０１６６】
例えば、子機位置推定部および子機位置特定部は、２つの点から観測された近距離無線通信の強度を用いる場合は、残置された子機が存在する位置として２つもしくは１つの場所を特定する。また、例えば、子機位置推定部および子機位置特定部は、３つ以上の点から観測された近距離無線通信の強度を用いてもよい。
【０１６７】
（６）プログラム
ところで、各実施例では、ハードウェアを利用して各種の処理を実現する場合を説明したが、本発明はこれに限定されるものではなく、あらかじめ用意されたプログラムを第二端末部で実行することによって実現するようにしてもよい。
【０１６８】
そこで、以下では、図１６を用いて、実施例１に示した第二端末部と同様の機能を有するプログラムを実行する携帯端末の一例を説明する。図１６は、紛失情報を送信するプログラムを実行する携帯端末の一例を説明するための図である。図１６に例示された携帯端末１００は、ＲＡＭ（Ｒａｎｄｏｍ  Ａｃｃｅｓｓ  Ｍｅｍｏｒｙ）１５０、ＣＰＵ（Ｃｅｎｔｒａｌ  Ｐｒｏｃｅｓｓｉｎｇ  Ｕｎｉｔ）１４０、ＲＯＭ（Ｒｅａｄ  Ｏｎｌｙ  Ｍｅｍｏｒｙ）１３０をバス１７０で接続されている。さらにバス１７０には、近距離無線通信装置のアンテナと接続するための接続端子部分Ｉ／Ｏ（Ｉｎｐｕｔ／Ｏｕｔｐｕｔ）１６０が接続されている。
【０１６９】
ＲＯＭ１３０には、判断プログラム１３１、検出プログラム１３２、紛失情報送信プログラム１３３があらかじめ保存されている。ＣＰＵ１４０が各プログラム１３１〜１３３をＲＯＭ１３０から読み出して実行することによって、図１６に示す様に、各プログラム１３１〜１３３は、判断プロセス１４１、検出プロセス１４２、紛失情報送信プロセス１４３として機能するようになる。
【０１７０】
なお、各プロセス１４１〜１４３は、図１に示した判断部２１、検出部２２、紛失情報送信部２４にそれぞれ対応する。
【０１７１】
なお、各プログラム１３１〜１３３はＲＯＭ１３０に保持されている必要は無く、例えば外部記憶装置に記憶されており、Ｉ／Ｏ１６０を介してＣＰＵ１４０によって展開され、各プロセス１４１〜１４３として機能するようにしてもよい。
【０１７２】
また、ＣＰＵ１４０は、ＭＣＵ（Ｍｉｃｒｏ  Ｃｏｎｔｒｏｌｌｅｒ  Ｕｎｉｔ）や、ＭＰＵ（Ｍｉｃｒｏ  Ｐｒｏｃｅｓｓｉｎｇ  Ｕｎｉｔ）でもよい。
【０１７３】
なお、本実施例で説明したプログラムは、あらかじめ用意されたプログラムを種々の携帯端末で実行することによって実現することができる。このプログラムは、インターネットなどのネットワークを介して配布することができる。また、このプログラムは、ハードディスク、フレキシブルディスク（ＦＤ）、ＣＤ−ＲＯＭ，ＭＯ、ＤＶＤなどの第二端末部で読取可能な記憶媒体に記憶され、第二端末部によって記憶媒体から読み出されることによって実行することもできる。
【０１７４】
（７）各装置の処理について
なお、上記した各実施例における各装置による処理に必要な情報や各装置によって生成された情報など各種の情報（例えば、地図データ、発見メッセージ、対応する子機のＭＡＣアドレス等）は、各装置が有する所定の記憶部が記憶する。記憶部は、例えば、例えば、ＲＡＭ（Random Access Memory)、ＲＯＭ（Read Only Memory)、フラッシュメモリ(flash memory)などの半導体メモリ素子、または、ハードディスク、光ディスクなどの記憶装置である。
【０１７５】
以上の各実施例を含む実施形態に関し、さらに以下の付記を開示する。
【０１７６】
（付記１）移動通信網に接続可能な第一端末部と、前記第一端末部と近距離無線通信を用いて通信を行う第二端末部とに分離可能な携帯端末であって、
前記第二端末部は、
所定のルールに基づいて、前記第二端末部が、前記第一端末から紛失状態にあると判断する判断部と、
前記判断部によって前記第二端末部が紛失状態にあると判断された場合には、前記近距離無線通信を用いて、同じ近距離無線通信が可能な他端末が通信範囲内にいるか検出する検出部と、
前記検出部によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信部と、
を備え、
前記第一端末部は、
前記移動通信網を介して、前記管理サーバから前記位置情報を受信した場合には、当該受信された位置情報を出力する出力部を備えることを特徴とする携帯端末装置。
【０１７７】
（付記２）前記紛失情報を作成した第二端末部は、
前記他端末からアラームを鳴らす旨の指示、振動機能を駆動させる指示、または発光機能を駆動させる駆動指示を受信した場合には、当該指示を実行する駆動部をさらに備えることを特徴とする付記１に記載の携帯端末装置。
【０１７８】
（付記３）移動通信網に接続可能な第一端末部と、前記第一端末部と近距離無線通信を用いて通信を行う第二端末部とに分離可能な携帯端末と、
前記第二端末部と前記第一端末部との対応を管理する管理サーバと、
前記移動通信網に接続可能かつ前記近距離無線通信を用いて通信可能な他端末と、
を備えるシステムであって、
前記第二端末部は、
所定のルールに基づいて、前記第二端末部が、前記第一端末から紛失状態にあると判断する判断部と、
前記判断部によって前記第二端末部が紛失状態にあると判断された場合には、前記近距離無線通信を用いて、同じ近距離無線通信が可能な他端末が通信範囲内にいるか検出する検出部と、
前記検出部によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信部と、
を備え、
前記第一端末部は、前記移動通信網を介して、前記管理サーバから前記位置情報を受信した場合には、当該受信された位置情報を出力する出力部を備え、
前記他端末は、前記第二端末部から前記紛失情報と前記位置情報とを前記管理サーバへ送信するように依頼された場合には、当該第二端末部から受信した前記紛失情報と前記位置情報とを前記管理サーバへ送信する送信部を備え、
前記管理サーバは、前記他端末から前記位置情報と前記紛失情報とを受信した場合には、当該紛失情報を送信した前記第二端末部と対応する前記第一端末部に対して、前記受信された前記位置情報を転送する転送部を備えることを特徴とするシステム。
【０１７９】
（付記４）前記他端末は、
前記紛失情報と前記位置情報とを前記管理サーバへ送信するように依頼された場合には、前記第二端末部が発する前記近距離無線通信の電波の強度を用いて、前記第二端末部と前記他端末との間の距離を計測し、計測された距離に関する情報である距離情報を作成する距離情報作成部をさらに備え、
前記送信部は、前記距離情報作成部によって作成された前記距離情報と、前記位置情報と、前記紛失情報とを前記管理サーバへと送信し、
前記管理サーバは、複数の他端末から前記位置情報と前記紛失情報とを収集し、収集された前記複数の距離情報および前記複数の位置情報を用いて前記第二端末部の位置を特定する位置特定部をさらに備え、
前記転送部は、前記位置特定部によって位置を特定された前記第二端末部と対応する前記第一端末部に対して、前記特定された第二端末部の位置を転送することを特徴とする付記３に記載のシステム。
【０１８０】
（付記５）前記紛失情報を送信した第二端末部は、前記他端末からアラームを鳴らす旨の指示、振動機能を駆動させる指示、または発光機能を駆動させる駆動指示を受信した場合には、当該指示を実行する駆動部をさらに備え、
前記他端末は、前記第二端末部から前記紛失情報を受信した場合には、当該第二端末部に対して前記駆動指示を送信する駆動指示送信部をさらに備えることを特徴とする付記３もしくは付記４に記載のシステム。
【０１８１】
（付記６）前記他端末は、前記第二端末部から前記紛失情報を受信した場合には、前記紛失情報を送信した第二端末部が発する前記近距離無線通信の電波強度を複数の位置で測定し、測定された各電波強度を用いて、前記紛失情報を送信した第二端末部の位置を識別する第二端末位置識別部をさらに備えることを特徴とする付記３〜付記５のいずれか一つに記載のシステム。
【０１８２】
（付記７）移動通信網に接続可能な第一端末部と、前記第一端末部と近距離無線通信を用いて通信を行う第二端末部とに分離可能な携帯端末で実行されるプログラムであって
所定のルールに基づいて、前記第二端末部が、前記第一端末から紛失状態にあると判断する判断手順と、
前記判断手順によって前記第二端末部が紛失状態にあると判断された場合には、前記近距離無線通信を用いて、同じ近距離無線通信が可能な他端末が通信範囲内にいるか検出する検出手順と、
前記検出手順によって前記他端末が検出された場合には、当該他端末に対して自らが紛失状態であることを示す紛失情報を送信することで、前記他端末の位置を示す情報である位置情報を作成するように依頼するとともに、作成された位置情報と、前記送信された紛失情報とを、前記移動通信網を介して管理サーバに送信するように依頼する紛失情報送信手順と、
を前記第二端末部に実行させることを特徴とするプログラム。
【０１８３】
（付記８）前記他端末からアラームを鳴らす旨の指示、振動機能を駆動させる指示、または発光機能を駆動させる駆動指示を受信した場合には、当該指示を実行する駆動手順をさらに前記第二端末部に実行させることを特徴とする付記７に記載のプログラム。
【０１８４】
（付記９）移動通信網に接続可能かつ近距離無線通信を用いて通信可能な他端末で実行されるプログラムであって、
移動通信網に接続可能な第一端末部と、前記第一端末部と近距離無線通信を用いて通信を行う第二端末部とに分離可能な携帯端末の前記第二端末から、当該第二端末部が紛失状態であることを示す紛失情報を受信した場合には、自機の位置を示す情報である位置情報を作成し、当該位置情報と、前記紛失情報とを前記移動通信網を介して管理サーバに送信する送信手順を前記他端末に実行させることを特徴とするプログラム。
【０１８５】
（付記１０）前記第二端末部から前記紛失情報を受信した場合には、当該第二端末部に対してアラームを鳴らす旨の指示、振動機能を駆動させる指示、または発光機能を駆動させる駆動指示を送信する駆動指示送信手順をさらに前記他端末に実行させることを特徴とする付記７もしくは付記９に記載のプログラム。
【符号の説明】
【０１８６】
１０  携帯端末装置
２０  第二端末部
２２  検出部
２４  紛失情報送信部
３０  第一端末部
４０ａ  加入者情報管理装置
５０  他端末の第一端末部
５２  位置情報作成部
５３  送信部
６０ｂ  第三者の携帯端末Ｃ
７０ｂ  第三者の携帯端末Ｄ
【図１】
2011029920.tif 000003
【図２】
2011029920.tif 000004
【図３Ａ】
2011029920.tif 000005
【図３Ｂ】
2011029920.tif 000006
【図３Ｃ】
2011029920.tif 000007
【図３Ｄ】
2011029920.tif 000008
【図３Ｅ】
2011029920.tif 000009
【図４】
2011029920.tif 000010
【図５】
2011029920.tif 000011
【図６Ａ】
2011029920.tif 000012
【図６Ｂ】
2011029920.tif 000013
【図７】
2011029920.tif 000014
【図８】
2011029920.tif 000015
【図９】
2011029920.tif 000016
【図１０】
2011029920.tif 000017
【図１１】
2011029920.tif 000018
【図１２】
2011029920.tif 000019
【図１３】
2011029920.tif 000020
【図１４】
2011029920.tif 000021
【図１５】
2011029920.tif 000022
【図１６】
2011029920.tif 000023